(57)【要約】【課題】部品点数を少なくし、接合する部材間に安定した接合状態が容易に得られて、風漏れを減少させることができるセントラル換気扇を提供することを目的とする。【解決手段】一側面に複数の吸込口２と、対向する側面に排気口３および吸込口２とを有した本体ケース５は、ファンケーシング６および上下に二分割した吸込口２と排気口３を備えた第１の本体ケース形成部材５ａと、上下に二分割したもう一方側の吸込口２と排気口３を備えた第２の本体ケース形成部材５ｂとからなり、上下方向にねじ締めして形成される鋼板製の外郭ケース８内に納められ、ねじ締めにより第１と第２の本体ケース形成部材５ａ、５ｂに接合力が加わる構成としたことにより、部品点数を少なくして、接合部が少なくなるとともに一様な力を接合部に加えることができ、安定した接合状態が得られて、接合部での風漏れを減少させることができる。【選択図】図１
2010112622.tif 000002
【特許請求の範囲】
【請求項１】
一側面に複数の吸込口と、前記一側面に対向する側面に排気口および吸込口とを有した本体ケースの内部に、前記吸込口と前記排気口に連通する吸気口と吐出口を有した送風機を設けたセントラル換気扇であって、前記本体ケースは、前記排気口を上下に二分割した一方側に連通するファンケーシングおよび前記吸込口を上下に二分割した一方側を備えた第１の本体ケース形成部材と、前記排気口を上下に二分割したもう一方側および前記吸込口を上下に二分割したもう一方側を備え、前記第１の本体ケース形成部材に上下方向に接合して前記吸込口、前記排気口および前記吸込口から前記送風機の吸気口に至る吸込風路を形成する第２の本体ケース形成部材とからなり、前記第１の本体ケース形成部材と第２の本体ケース形成部材とを組み合わせて、上下方向にねじ締めして形成される鋼板製の外郭ケース内に納め、前記外郭ケースにおける上下方向のねじ締めにより前記第１と第２の本体ケース形成部材に接合力が加わることを特徴とするセントラル換気扇。
【請求項２】
本体ケースを発泡スチロールで形成する請求項１記載のセントラル換気扇。
【請求項３】
第１の本体ケース形成部材と第２の本体ケース形成部材との接合部を凹状と凸状の係合部とした請求項１または２記載のセントラル換気扇。
【請求項４】
凹状の係合部に接着剤を塗布して、凸状の係合部と接着して係合する請求項３記載のセントラル換気扇。
【請求項５】
本体ケースの吸込風路に、本体ケースの対向する両側面に形成され対向する吸込口の間を仕切る仕切板を設けた請求項１記載のセントラル換気扇。
【請求項６】
吸込口および排気口に、室内および室外に連通配管されるダクトを接続するための筒状のアダプターを、挟み込み接着することにより固定するアダプター固定部を第１の本体ケース形成部材および第２の本体ケース形成部材に一体に設けた請求項２記載のセントラル換気扇。
【請求項７】
アダプターの外周に環状の鍔部を設け、アダプター固定部の内周に環状の溝を形成し、前記鍔部を前記溝に挿入して前記アダプターをアダプター固定部で挟み込む構成とした請求６記載のセントラル換気扇。
【請求項８】
鍔部および溝を２重の環状に形成した請求項７記載のセントラル換気扇。
【請求項９】
２重の環状に形成された鍔部を軸心方向に連結する連結リブと、前記連結リブを挿入する連結溝とを設けた請求項８記載のセントラル換気扇。
【請求項１０】
アダプター固定部の内周に、アダプターの外周に巻回する弾性材が圧縮されて納まる凹部を形成した請求項６記載のセントラル換気扇。
【請求項１１】
一側面に複数の吸込口と、前記一側面に対向する他側面に排気口および吸込口とを有した本体ケースの内部に、前記吸込口と前記排気口に連通する吸気口と吐出口を有した送風機を設け、前記一側面に形成した吸込口が複数段に位置するセントラル換気扇であって、前記本体ケースは、前記他側面に形成した排気口および吸込口を上下に二分割した一方側を有するとともに、前記排気口の一方側に連通するファンケーシングを備えた第１の本体ケース形成部材と、前記一側面の複数の吸込口にダクトを接続するためのアダプターをインサート成形したアダプター固定部を一体に設けた第３の本体ケース形成部材と、前記他側面の排気口および吸込口を上下に二分割したもう一方側を備え前記第１と第３の本体ケースと接合して前記吸込口、前記排気口および前記吸込口から前記送風機の吸気口に至る吸込風路を形成する第２の本体ケース形成部材とからなり、前記第１〜第３の本体ケース形成部材を組み合わせて、上下方向にねじ締めして形成される鋼板製の外郭ケース内に納め、前記外郭ケースにおける上下方向のねじ締めにより前記第１〜第３の本体ケース形成部材に接合力が加わることを特徴とするセントラル換気扇。
【発明の詳細な説明】
【技術分野】
【０００１】
本発明は、天井裏へ設置され、本体内部に設けた送風機によって建物の複数の室の換気を行うセントラル換気扇に関するものである。
【背景技術】
【０００２】
従来より、この種の換気扇として、本体の側面に排気用ダクト接続口と複数の吸気用ダクト接続口を持ち、本体内の送風機により換気を行う換気扇が知られている（例えば、特許文献１参照）。
【０００３】
特許文献１に記載の換気扇は、金属製又は樹脂製の底板を取り外し可能に取り付けたポリスチレン等の発泡樹脂製箱型ハウジングを設け、前記ハウジングの３周側面にはそれぞれ吸気用ダクト接続口を２つずつ並設し、残りの周側面には排気用ダクト接続口を１つ突設するとともに、制御基盤を取り付け、前記ハウジングの内天面にファンとこれを駆動するモーターを取り付け、更に前記ハウジング内に前記ファンを取り囲む無底ケーシングを一体成形により設け、前記底板の上面において、前記ケーシングの下面を受けるようにしてなるダクト用換気扇である。
【０００４】
前記ハウジングは、吸気用ダクト接続口と排気用ダクト接続口を含めて２つ割りした形状の２部品を接合して形成され、前記ケーシングは前記２部品の内の下側の部品と一体成形されている。
【特許文献１】特開２００７−１６３０１８号公報
【発明の開示】
【発明が解決しようとする課題】
【０００５】
このような従来の換気扇では、ハウジングが吸気用ダクト接続口および排気用ダクト接続口の上下で２つ割りして形成されているが、これら２部品の接合についての説明はなく、接合の気密性が低かったり接合力が弱いと、天井裏への吊下げ設置等によりハウジングへ重量が加わった場合や経年劣化により、２部品の接合部から風漏れが生じるという課題がある。
【０００６】
本発明は、このような従来の課題を解決するものであり、ハウジングを構成する部品点数を少なくして製造コストの削減ができ、しかも接合する部材間に一様な力を接合部に加えることができ、安定した接合状態が容易に得られて、接合部での風漏れを減少させ、換気性能を向上させることができるセントラル換気扇を提供することを目的とする。
【課題を解決するための手段】
【０００７】
本発明のセントラル換気扇は、上記目的を達成するために、一側面に複数の吸込口と、前記一側面に対向する側面に排気口および吸込口とを有した本体ケースの内部に、前記吸込口と前記排気口に連通する吸気口と吐出口を有した送風機を設けたセントラル換気扇であって、前記本体ケースは、前記排気口を上下に二分割した一方側に連通するファンケーシングおよび前記吸込口を上下に二分割した一方側を備えた第１の本体ケース形成部材と、前記排気口を上下に二分割したもう一方側および前記吸込口を上下に二分割したもう一方側を備え、前記第１の本体ケース形成部材に上下方向に接合して前記吸込口、前記排気口および前記吸込口から前記送風機の吸気口に至る吸込風路を形成する第２の本体ケース形成部材とからなり、前記第１の本体ケース形成部材と第２の本体ケース形成部材とを組み合わせて、上下方向にねじ締めして形成される鋼板製の外郭ケース内に納め、前記外郭ケースにおける上下方向のねじ締めにより前記第１と第２の本体ケース形成部材に接合力が加わるものである。
【０００８】
また、他の手段は、本体ケースを発泡スチロールで形成するものである。
【０００９】
また、他の手段は、第１の本体ケース形成部材と第２の本体ケース形成部材との接合部を凹状と凸状の係合部としたものである。
【００１０】
また、他の手段は、凹状の係合部に接着剤を塗布して、凸状の係合部と接着して係合するものである。
【００１１】
また、他の手段は、本体ケースの吸込風路に、本体ケースの対向する両側面に形成され対向する吸込口の間を仕切る仕切板を設けたものである。
【００１２】
また、他の手段は、吸込口および排気口に、室内および室外に連通配管されるダクトを接続するための筒状のアダプターを、挟み込み接着することにより固定するアダプター固定部を第１の本体ケース形成部材および第２の本体ケース形成部材に一体に設けたものである。
【００１３】
また、他の手段は、アダプターの外周に環状の鍔部を設け、アダプター固定部の内周に環状の溝を形成し、前記鍔部を前記溝に挿入して前記アダプターをアダプター固定部で挟み込む構成としたものである。
【００１４】
また、他の手段は、鍔部および溝を２重の環状に形成したものである。
【００１５】
また、他の手段は、２重の環状に形成された鍔部を軸心方向に連結する連結リブと、前記連結リブを挿入する連結溝とを設けたものである。
【００１６】
また、他の手段は、アダプター固定部の内周に、アダプターの外周に巻回する弾性材が圧縮されて納まる凹部を形成したものである。
【００１７】
また、他の手段は、一側面に複数の吸込口と、前記一側面に対向する他側面に排気口および吸込口とを有した本体ケースの内部に、前記吸込口と前記排気口に連通する吸気口と吐出口を有した送風機を設け、前記一側面に形成した吸込口が複数段に位置するセントラル換気扇であって、前記本体ケースは、前記他側面に形成した排気口および吸込口を上下に二分割した一方側を有するとともに、前記排気口の一方側に連通するファンケーシングを備えた第１の本体ケース形成部材と、前記一側面の複数の吸込口にダクトを接続するためのアダプターをインサート成形したアダプター固定部を一体に設けた第３の本体ケース形成部材と、前記他側面の排気口および吸込口を上下に二分割したもう一方側を備え前記第１と第３の本体ケースと接合して前記吸込口、前記排気口および前記吸込口から前記送風機の吸気口に至る吸込風路を形成する第２の本体ケース形成部材とからなり、前記第１〜第３の本体ケース形成部材を組み合わせて、上下方向にねじ締めして形成される鋼板製の外郭ケース内に納め、前記外郭ケースにおける上下方向のねじ締めにより前記第１〜第３の本体ケース形成部材に接合力が加わる構成としたものである。
【発明の効果】
【００１８】
本発明によれば、本体ケースが、排気口を上下に二分割した一方側に連通するファンケーシングおよび吸込口を上下に二分割した一方側を備えた第１の本体ケース形成部材と、排気口を上下に二分割したもう一方側および吸込口を上下に二分割したもう一方側を備え、第１の本体ケース形成部材に上下方向に接合して吸込口、排気口および吸込口から送風機の吸気口に至る吸込風路を形成する第２の本体ケース形成部材とからなることにより、接合する部材間の接合部が少なくなるとともに、外郭ケースの上下方向のねじ締めの力によって一様な力を接合部に加えることができ、安定した接合状態が容易に得られて、接合部での風漏れを減少させ、換気性能を向上させることができるという効果のあるセントラル換気扇を提供することができる。
【００１９】
また、本体ケースを発泡スチロールで形成することにより、断熱性能が向上して結露が防止でき、また、本体ケースの重量が減少して設置工事の施工性が向上する。
【００２０】
また、第１の本体ケース形成部材と第２の本体ケース形成部材との接合部を凹状と凸状の係合部としたことにより、第１と第２の本体ケース形成部材の接合部における風漏れがより減少する。
【００２１】
また、凹状の係合部に接着剤を塗布して、凸状の係合部と接着して係合することにより、上記凹状と凸状の係合に加えて、強い接着力で接着され、接合部における風漏れがさらに減少し、また、接合部を汚すことなく接着することができる。
【００２２】
また、本体ケースの吸込風路に、本体ケースの対向する両側面に形成され対向する吸込口の間を仕切る仕切板を設けたことにより、対向する方向から吸い込まれ流入してくる吸込流が、仕切板により整流されてファンケーシングに吸気され、騒音が低下する。
【００２３】
また、吸込口および排気口に、室内および室外に連通配管されるダクトを接続するための筒状のアダプターを、挟み込み接着することにより固定するアダプター固定部を第１の本体ケース形成部材および第２の本体ケース形成部材に一体に設けたことにより、アダプターを本体ケースに固定するための部品を別途必要とせず、かつ、固定するための工数が少なく、製造コストを低減させることができる。
【００２４】
また、アダプターの外周に環状の鍔部を設け、アダプター固定部の内周に環状の溝を形成し、前記鍔部を前記溝に挿入して前記アダプターをアダプター固定部で挟み込む構成としたことにより、アダプターがアダプター固定部を介して本体ケースに強固に固定され、また、鍔部と溝によってアダプターとアダプター固定部との間からの風漏れを阻止できる。
【００２５】
また、鍔部および溝を２重の環状に形成したことにより、アダプターのアダプター固定部への固定がより強固になるとともに、アダプターとアダプター固定部との間の風漏れ阻止効果が高まる。
【００２６】
また、２重の環状に形成された鍔部を軸心方向に連結する連結リブと、前記連結リブを挿入する連結溝とを設けたことにより、アダプターのアダプター固定部への固定がさらに強固なものとなる。
【００２７】
また、アダプター固定部の内周に、アダプターの外周に巻回する弾性材が圧縮されて納まる凹部を形成したことにより、弾性材によるアダプターとアダプター固定部との間の風漏れ阻止が確実に達成できる。
【００２８】
また、本体ケースの一側面に複数段に吸込口を形成したセントラル換気扇であっても、本体ケース形成部材を３個として、製造コストの削減と風漏れ減少による換気性能の向上を達成することができる。
【発明を実施するための最良の形態】
【００２９】
本発明の請求項１記載のセントラル換気扇は、本体ケースは、排気口を上下に二分割した一方側に連通するファンケーシングおよび吸込口を上下に二分割した一方側を備えた第１の本体ケース形成部材と、前記排気口を上下に二分割したもう一方側および前記吸込口を上下に二分割したもう一方側を備え、前記第１の本体ケース形成部材に上下方向に接合して前記吸込口、前記排気口および前記吸込口から前記送風機の吸気口に至る吸込風路を形成する第２の本体ケース形成部材とからとからなり、前記第１の本体ケース形成部材と第２の本体ケース形成部材とを組み合わせて、上下方向にねじ締めして形成される鋼板製の外郭ケース内に納め、前記外郭ケースにおける上下方向のねじ締めにより前記第１と第２の本体ケース形成部材に接合力が加わるものであり、ファンケーシングの主要部を一体に形成した第１の本体ケース形成部材と、第１の本体ケース形成部材と上下方向に接合して吸込口、排気口および吸込風路を形成する第２の本体ケース形成部材の２個の部材で本体ケースを形成できるので、部材間の接合部を少なくでき、しかも部材どうしを多方向からでなく、外郭ケースの上下方向のねじ締め時に接合力が加わるので、接合部に一様にしっかりとした力を加えて接合することができるという作用を有する。
【００３０】
また、請求項２記載のセントラル換気扇は、本体ケースを発泡スチロールで形成するものであり、本体ケースの内外における断熱性能が向上するとともに、本体ケースの重量が減少する。
【００３１】
また、請求項３記載のセントラル換気扇は、第１の本体ケース形成部材と第２の本体ケース形成部材との接合部を凹状と凸状の係合部としたものであり、凹状と凸状の係合部の係合によって、第１と第２の本体ケース形成部材の接合部における接合が強固なものとなる。
【００３２】
また、請求項４記載のセントラル換気扇は、凹状の係合部に接着剤を塗布して、凸状の係合部と接着して係合するものであり、凹状と凸状の係合面での接着によって接合部で強い接着力が得られ、また、接着剤が凹状の係合部に塗布されることによって接着剤の接合部からのはみ出しを阻止することができる。
【００３３】
また、請求項５記載のセントラル換気扇は、本体ケースの吸込風路に、本体ケースの対向する両側面に形成され対向する吸込口の間を仕切る仕切板を設けたものであり、対向する側面のそれぞれに形成された吸込口から流入してくる吸込流どうしの干渉が仕切板によって阻止され、吸込流はファンケーシングの吸気口に整流されて流入することとなる。
【００３４】
また、請求項６記載のセントラル換気扇は、吸込口および排気口に、室内および室外に連通配管されるダクトを接続するための筒状のアダプターを、挟み込み接着することにより固定するアダプター固定部を第１の本体ケース形成部材および第２の本体ケース形成部材に一体に設けたものであり、第１と第２の本体ケース形成部材を接合して本体ケースを形成する際に、アダプターを本体ケースに一体に設けることができる。
【００３５】
また、請求項７記載のセントラル換気扇は、アダプターの外周に環状の鍔部を設け、アダプター固定部の内周に環状の溝を形成し、前記鍔部を前記溝に挿入して前記アダプターをアダプター固定部で挟み込む構成としたものであり、アダプターが、鍔部と溝によって、アダプター固定部に対し軸心方向に抜け止め状態に固定される。
【００３６】
また、請求項８記載のセントラル換気扇は、鍔部および溝を２重の環状に形成したものであり、アダプターの抜け止め効果が高まる。
【００３７】
また、請求項９記載のセントラル換気扇は、２重の環状に形成された鍔部を軸心方向に連結する連結リブと、前記連結リブを挿入する連結溝とを設けたものであり、アダプターが、連結リブと連結溝によって、アダプター固定部に対し回り止め状態に固定される。
【００３８】
また、請求項１０記載のセントラル換気扇は、アダプター固定部の内周に、アダプターの外周に巻回する弾性材が圧縮されて納まる凹部を形成したものであり、アダプターの外周に弾性材を巻回してアダプター固定部との隙間における風漏れを阻止する場合に、アダプター固定部がアダプターを挟み込んで固定する際にアダプター固定部自体の接合部に隙間を生じることがなくなる。
【００３９】
また、請求項１１記載のセントラル換気扇は、一側面に複数段に位置する複数の吸込口と、前記一側面に対向する他側面に排気口および吸込口とを有した本体ケースは、前記他側面に形成した排気口および吸込口を上下に二分割した一方側を有するとともに、前記排気口の一方側に連通するファンケーシングを備えた第１の本体ケース形成部材と、前記一側面の複数の吸込口にダクトを接続するためのアダプターをインサート成形したアダプター固定部を一体に設けた第３の本体ケース形成部材と、前記他側面の排気口および吸込口を上下に二分割したもう一方側を備え前記第１と第３の本体ケースと接合して前記吸込口、前記排気口および前記吸込口から前記送風機の吸気口に至る吸込風路を形成する第２の本体ケース形成部材とからなり、前記第１〜第３の本体ケース形成部材を組み合わせて、上下方向にねじ締めして形成される鋼板製の外郭ケース内に納め、前記外郭ケースにおける上下方向のねじ締めにより前記第１〜第３の本体ケース形成部材に接合力が加わる構成としたものであり、本体ケースの一側面に形成した吸込口が多く複数段に位置するセントラル換気扇にあっては、一側面に係る構成を第３の本体ケース形成部材とし、上記請求項１に記載のセントラル換気扇を基本とするものに対し、本体ケースを形成する部材としてこの第３の本体ケース形成部材を付加することで、同様の作用効果を奏することができる。
【００４０】
以下、本発明の実施の形態について、図１〜図７を参照しながら説明する。
【００４１】
（実施の形態１）
セントラル換気扇の本体１は天井に設けられた点検口（図示せず）の上方に設置され、前記点検口を開けて、本体１のメンテナンス等を行うことができる。
【００４２】
図１に示すように、本体１は、一側面に複数の吸込口２を有し、さらに対向する側面に吸込口２と排気口３を有し、吸込口２と排気口３はダクト（図示せず）を接続することによって、吸込口２は遠方の天井までダクトを伸ばして換気空間を拡大することができ、排気口３はダクトを介して、本体１内の送風機４により取り込んだ空気を室外空間へ排気することができる。さらに、複数の吸込口２を有する側面だけでなく排気口３を有する側面にも吸込口２を設けることによって、ダクトを天井裏に引き回す際に、ダクト長の短縮を図ることができ、また、複数の吸込口２の内、使用する口数に応じて最適なダクト施工を選択することができる。
【００４３】
本体１の主要部を形成している本体ケース５は、図２に示すように、発泡スチロールにより成形された上下２部品から成り、排気口３を上下に二分割した一方側に連通するファンケーシング６、および、吸込口２を上下に二分割した一方側を備えた第１の本体ケース形成部材５ａと、排気口３を上下に二分割したもう一方側、および、吸込口２を上下に二分割したもう一方側を備えて、第１の本体ケース形成部材５ａに上下方向に接合することによって、吸込口２、排気口３および吸込口２から送風機４の吸気口７に至る吸込風路を形成する第２の本体ケース形成部材５ｂとにより構成されている。
【００４４】
また、上下方向にねじ締めして形成される板金製の外郭ケース８を有し外郭ケース８内に、第１の本体ケース形成部材５ａと第２の本体ケース形成部材５ｂを組み合わせて上下方向に接合したうえで納め、外郭ケース８の上下方向のねじ締めにより、第１の本体ケース形成部材５ａと第２の本体ケース形成部材５ｂの接合部へ上下方向からさらに接合力を加えることができる。
【００４５】
また、送風機４ははファン９とモーター１０を板金１１に固定して構成され、外郭ケース８の下面にある開口からファン９を上方へ挿入し、外郭ケース８と板金１１とをねじ締めにより固定し、本体１の送風機４としての機能をなし、入力電源用の電源端接続部１２と送風機４の運転の制御回路を備えた制御回路基板１３を樹脂ケースで覆った制御ユニット１４を、天井に設けた点検口の上方に設置された本体１に下面から挿入して配設している。
【００４６】
上記構成により、本体１の主要部となる吸込口２と排気口３、および、吸込口２から送風機４の吸気口７に至る吸込風路とファンケーシング６を発泡スチロールの上下２部品で形成することができ、部品点数を少なくしてのコスト削減ができ、さらに断熱性能が向上するため、結露を防止することができ、本体ケース５の重量が減少するため、設置工事の施工性を向上させることができる。また、本体ケース５を収納し覆う板金製の外郭ケース８を上下方向からねじ締めすることにより、本体ケース５の接合部に外郭ケース８の天面および底面から一様な力を加えることができ、安定した接合状態を得ることができるため、接合部からの風漏れを減少させ、換気性能を向上させることができる。さらに、板金同士のねじ締めという機械的な固定方法であるため、接合力が安定し、換気装置本体１の吊下げ設置後において、経年劣化に対しても接合力が低下しにくい。
【００４７】
そして、図３に示すように、第１の本体ケース形成部材５ａと第２の本体ケース形成部材５ｂとの接合部の一方に凹状部１５と他方に凸状部１６の係合部を設け、上下に接合する際に凹状部１５と凸状部１６を嵌合させるようにする。凹状部１５と凸状部１６は上下に接合される全周に設けることが望ましく、さらに、凹状部１５に接着剤を塗布して部材を接合させる。この時、凹状部１５および凸状部１６には勾配を設けておくことによって、嵌め合わせる際にスムーズに作業を行うことができる。
【００４８】
凹状部１５と凸状部１６の構成によって、本体ケース５の接合部の当接面積が増すため、接合部からの風漏れをより減少させることができ、また、接着剤を凹状部１５に塗布するため、安定した接着剤の塗布が可能であり、接合部からのはみ出しを阻止することができる。
【００４９】
また、第１の本体ケース形成部材５ａのファンケーシング６の吸気口７に対しほぼ同一高さで近傍に、本体ケース５の対向する両側面に形成された対向する吸込口２から吸い込まれる吸込風路を仕切る仕切板１７を設けることによって、対向する側面のそれぞれに形成された吸込口２から流入してくる吸込流どうしの干渉が、仕切板１７によって阻止され、吸込流はファンケーシング６の吸気口７に整流されて流入することとなるため、送風効率を向上させることができるとともに、騒音を低下させることができる。
【００５０】
そして、本体１の側面に設けられた吸込口２および排気口３には、室内と室外に連通配管されるダクトを接続するための樹脂により成形された筒状のアダプター１８を設け、ダクトを本体１に接続する際、アダプター１８をガイドとして覆うようにダクトを接続することができる。アダプター１８の本体１との固定方法としては、図４に示すように、第１の本体ケース形成部材５ａおよび第２の本体ケース形成部材５ｂを係合して接合する際に、アダプター１８を各吸込口２および排気口３に挟み込むことができるアダプター固定部１９を設けて接着させる。また、アダプター１８の外周に環状の鍔部２０を設け、本体ケース５のアダプター固定部１９の内周に環状の溝２１を形成し、鍔部２０を溝２１に挿入してアダプター１８をアダプター固定部１９で挟み込む構成とする。この時、鍔部２０および溝２１を２重の環状に形成することにより、アダプター１８とアダプター固定部１９との接触表面積が増すため、より風漏れの阻止効果が高まる。
【００５１】
また、アダプター１８に２重の環状に形成された鍔部２０を軸心方向に連結する連結リブ２２を周方向に９０°おきに４本形成し、連結リブ２２を挿入する連結溝２３を本体ケース５のアダプター固定部１９に設けている。さらに、図５に示すように、アダプター１８の外周にはパッキンなどの弾性材２４を巻回させることができ、アダプター固定部１９の内周に、アダプター１８の外周に巻回する弾性材２４が圧縮されて納まる凹部２５を形成している。
【００５２】
上記構成によって、アダプター１８を本体ケース５の接合と同時に固定することができるため、アダプター１８を本体ケース５に固定するための部品を別途必要とせず、固定するための工数を少なくすることもでき、製造コストを抑えることができる。アダプター１８に設けた２重の鍔部２０によっては、軸心方向の抜け止めが強固になるとともに、風漏れを低減することができ、鍔部２０を軸心方向に連結する連結リブ２２によって、アダプター固定部１９に対し、回り止め状態に固定することができる。また、アダプター１８に弾性材２４を巻回させることによって、本体ケース５に接合した際に、弾性材２４が本体ケース５とアダプター１８との間で圧縮されることによって、確実に風漏れを防ぐことができ、アダプター固定部１９の内周に、弾性材２４が圧縮されて納まる凹部２５を形成して、凹部２５に弾性材２４を圧縮した状態で収納することによって、アダプター固定部１９の凹部２５以外の面でも、アダプター１８の外周面と接触させることができるため、風漏れを弾性材２４で抑えつつ強固にアダプター１８を固定することができる。
【００５３】
（実施の形態２）
本発明の実施の形態２のセントラル換気扇は、上記実施の形態１のセントラル換気扇に対し、図６および図７に示すように、本体１Ａの本体ケース５Ａの一側面に複数の吸込口２と、前記一側面に対向する他側面に排気口３および吸込口２とを有し、前記一側面に形成した吸込口２が複数段に位置している点が相違する。
【００５４】
そして、本体ケース５Ａは、前記他側面に形成した排気口３および吸込口２を上下に二分割した一方側を有するとともに、排気口３の一方側に連通するファンケーシング６を備えた第１の本体ケース形成部材５ｃと、前記一側面の複数の吸込口２にダクトを接続するためのアダプター１８をインサート成形したアダプター固定部１９Ａを一体に設けた第３の本体ケース形成部材５ｅと、前記他側面の排気口３および吸込口２を上下に二分割したもう一方側を備え第１の本体ケース形成部材５ｃおよび第３の本体ケース形成部材５ｅと接合して吸込口２、排気口３および吸込口２から送風機４の吸気口７に至る吸込風路を形成する第２の本体ケース形成部材５ｄとからなり、第１〜第３の本体ケース形成部材５ｃ、５ｄ、５ｅを組み合わせて本体ケース５Ａを形成する。
【００５５】
吸込口２を複数有する一側面には、吸込口２が上下２段に形成されており、ダクトを接続する際のテープ止めやねじ止め等の作業が行えるように、吸込口２は一定間隔を隔てて位置している。そのため、実施の形態１のように吸込口２の上下で分割して２部品とすることができないため、吸込口２を複数有する一側面を、アダプター１８をインサート成形した一部品とすることによって、金型の抜き等、製造上の問題による吸込口２の配置の制約を受けずに、吸込口２を複数形成することができる。さらに、アダプター１８の外周に２重の鍔部２０を設け、前記２重の鍔部２０を軸心方向に連結する連結リブ２２を複数設けることによって、アダプター１８をインサート成形した際に、アダプター１８の軸方向、および、周方向の強度が向上し、風漏れも減少させることができる。
【００５６】
そして、上下方向にねじ締めして形成される鋼板製の外郭ケース８内に納め、外郭ケース８における上下方向のねじ締めにより第１〜第３の本体ケース形成部材５ｃ、５ｄ、５ｅに接合力を加えて、上下方向に押さえることができる。
【００５７】
上記構成によって、本体ケース５Ａの一側面に複数段に吸込口２を形成したセントラル換気扇であっても、第１〜第３の本体ケース形成部材５ｃ、５ｄ、５ｅの３部品として、製造コストの削減と風漏れの減少による換気性能の向上を達成することができる。
【産業上の利用可能性】
【００５８】
本発明は、上下に二分割した第１と第２の本体ケース形成部材からなる本体ケースを上下方向に接合して鋼板製の外郭ケースに納め、外郭ケースを上下方向にねじ締めすることによって、安定した接合状態が容易に得られ、風漏れを防止して換気性能を向上させることができ、本体ケースの内部に送風機を配設し、側面に排気口と吸込口を形成した換気装置に広く適用できる。
【図面の簡単な説明】
【００５９】
【図１】本発明の実施の形態１のセントラル換気扇を示す斜視図
【図２】同換気装置の本体ケースを示す分解斜視図
【図３】同本体ケースの第２の本体ケース形成部材を上下反転した分解斜視図
【図４】同換気装置のアダプターおよびアダプター固定部を示す拡大分解斜視図
【図５】同換気装置のアダプター固定部分を示す断面図
【図６】本発明の実施の形態２のセントラル換気扇を示す斜視図
【図７】同換気装置の本体ケースの分解斜視図
【符号の説明】
【００６０】
２      吸込口
３      排気口
４      送風機
５      本体ケース
５Ａ    本体ケース
５ａ    第１の本体ケース形成部材
５ｂ    第２の本体ケース形成部材
５ｃ    第１の本体ケース形成部材
５ｄ    第２の本体ケース形成部材
５ｅ    第３の本体ケース形成部材
６      ファンケーシング
７      吸気口
８      外郭ケース
１５    凹状部
１６    凸状部
１７    仕切板
１８    アダプター
１９    アダプター固定部
１９Ａ  アダプター固定部
２０    鍔部
２１    溝
２２    連結リブ
２３    連結溝
２４    弾性材
２５    凹部
【図１】
2010112622.tif 000003
【図２】
2010112622.tif 000004
【図３】
2010112622.tif 000005
【図４】
2010112622.tif 000006
【図５】
2010112622.tif 000007
【図６】
2010112622.tif 000008
【図７】
2010112622.tif 000009